(57)【要約】【課題】一部の骨部材を省略することにより引戸の軽量化と材料コストの低減を実現するとともに、表面材の位置合わせを容易にして組立作業の効率化を図るようにした引戸を提供すること。【解決手段】薄板状の２枚の表面材１を所定間隔を隔てて重合するようにした引戸において、骨部材３を配設するようにした戸先Ｔ１側を除く各表面材１の少なくとも隣接する２辺に、表面材１を内側に折り曲げた折曲片２を形成し、この折曲片２を重ねて固定することにより表面材１の間隔を規定するようにする。【選択図】図１
2009299278.tif 000002
【特許請求の範囲】
【請求項１】
薄板状の２枚の表面材を所定間隔を隔てて重合するようにした引戸において、骨部材を配設するようにした戸先側を除く各表面材の少なくとも隣接する２辺に、表面材を内側に折り曲げた折曲片を形成し、該折曲片を重ねて固定することにより前記表面材の間隔を規定するようにしたことを特徴とする引戸。
【請求項２】
引戸の上側又は下側の辺に骨部材を配設するようにしたことを特徴とする請求項１記載の引戸。
【請求項３】
各表面材の隣接する３辺に折曲片を形成したことを特徴とする請求項１記載の引戸。
【発明の詳細な説明】
【技術分野】
【０００１】
本発明は、引戸に関し、特に、一部の骨部材を省略することにより引戸の軽量化と材料コストの低減を実現するとともに、表面材の位置合わせを容易にして組立作業の効率化を図るようにした引戸に関するものである。
【背景技術】
【０００２】
近年、学校や病院等の各種施設では、搬入や搬出などを考慮して出入口を広くするようにしており、このような大きな出入口の間仕切りとして、１枚の大型の引戸が使用されることが多くなっている。
【０００３】
このような引戸として、従来、図４に示すように、化粧鋼板からなる２枚の表面材１を所定間隔を隔てて重合するようにした引戸がある。
この引戸は、表面材１の４辺に、表面材１の間隔を保持しかつ剛性を付与する骨部材３を配設するとともに、必要に応じて、これら骨部材３の間にペーパーコア等の芯材４を配設するようにしている。
骨部材３は、例えば、チャネル状に折曲した鋼板や形鋼からなり、接着等により表面材１に固定されている。
【発明の開示】
【発明が解決しようとする課題】
【０００４】
しかしながら、上記骨部材３は、表面材１より厚肉であり、表面材１に重ねられる側板部分の面積も広いことから、重量が大きくなって引戸が取り扱いにくくなるとともに、材料コストとして占める割合も大きくなるという問題を有している。
また、２枚の表面材１と４本の骨部材３がそれぞれ個別のパーツとして存在するため、引戸を組み立てる際には、これらの骨部材３と２枚の表面材１の位置合わせが困難であり、引戸の組立作業の効率が悪いという問題を有している。
【０００５】
本発明は、上記従来の引戸が有する問題点に鑑み、一部の骨部材を省略することにより引戸の軽量化と材料コストの低減を実現するとともに、表面材の位置合わせを容易にして組立作業の効率化を図るようにした引戸を提供することを目的とする。
【課題を解決するための手段】
【０００６】
上記目的を達成するため、本発明の引戸は、薄板状の２枚の表面材を所定間隔を隔てて重合するようにした引戸において、骨部材を配設するようにした戸先側を除く各表面材の少なくとも隣接する２辺に、表面材を内側に折り曲げた折曲片を形成し、該折曲片を重ねて固定することにより前記表面材の間隔を規定するようにしたことを特徴とする。
【０００７】
この場合において、引戸の上側又は下側の辺に骨部材を配設するようにすることができる。
【０００８】
また、各表面材の隣接する３辺に折曲片を形成することができる。
【発明の効果】
【０００９】
本発明の引戸によれば、薄板状の２枚の表面材を所定間隔を隔てて重合するようにした引戸において、骨部材を配設するようにした戸先側を除く各表面材の少なくとも隣接する２辺に、表面材を内側に折り曲げた折曲片を形成し、該折曲片を重ねて固定することにより前記表面材の間隔を規定するようにしたことから、この折曲片を補強部として、表面材の少なくとも２辺で骨部材を省略することができ、これにより、引戸を軽量化するとともに、材料コストを低減することができる。
また、従来は、引戸を組み立てる際に２枚の表面材と骨部材の位置合わせが困難であったが、本発明の引戸では、隣接する２辺に折曲片を形成し、これを重ねることにより、表面材の位置合わせを容易に行うことができ、引戸の組立作業の効率化を図ることができる。
さらに、戸先側の辺には骨部材を配設する構造としているため、骨部材に錠前や取っ手等の引戸の付属部品を取り付けるようにすることができ、付属部品の取付を強固かつ簡易に行うことができる。
【００１０】
また、引戸の上側又は下側の辺に骨部材を配設するようにすることにより、骨部材に戸車等の引戸の付属部品を取り付けるようにすることができ、付属部品の取付を強固かつ簡易に行うことができ、また、骨部材が引戸の振れ止め部材の案内部材を兼用するようにすることもできる。
【００１１】
また、各表面材の隣接する３辺に折曲片を形成することにより、引戸の軽量化と材料コストの低減をより促進するとともに、表面材の位置合わせをさらに容易に行うことができる。
【発明を実施するための最良の形態】
【００１２】
以下、本発明の引戸の実施の形態を、図面に基づいて説明する。
【実施例１】
【００１３】
図１〜図２に、本発明の引戸の一実施例を示す。
この引戸は、薄板状の２枚の表面材１を所定間隔を隔てて重合するようにした引戸において、骨部材３を配設するようにした戸先Ｔ１側を除く各表面材１の少なくとも隣接する２辺に、表面材１を内側に折り曲げた折曲片２を形成し、この折曲片２を重ねて固定することにより表面材１の間隔を規定するようにしている。
【００１４】
２枚の表面材１は、矩形に形成された化粧鋼板からなり、本実施例では、上側の辺と戸尻Ｔ２側の辺とに、引戸の厚みとほぼ同幅の折り曲げ代を形成し、これらをそれぞれ内側に折り曲げることにより折曲片２を形成している。
なお、折曲片２は、内外に重ねて固定されるため、図示後方の表面材１の折曲片２が若干外側にオフセットされている。
重ねられた折曲片２は、感圧性両面粘着テープで仮止めし、リベットやビス、接着等の固定手段（図示省略）により固定されるため、表面材１の間隔を規定する機能を有するとともに、剛性を付与する補強部ともなる。
この場合、上側の辺の折曲片２には、カシメナット等の取付手段（図示省略）を固着し、吊車ブラケット（図示省略）をボルト等の固定手段（図示省略）により取り付けて、吊り戸とすることができる。
【００１５】
一方、引戸の戸先Ｔ１側の辺と下側の辺には、表面材１の２倍程度の厚みを有する骨部材３を配設するようにしている。
骨部材３は、例えば、チャネル状に折曲した鋼板や形鋼からなり、接着等により表面材１に固定されている。
この場合、戸先Ｔ１側には、必要に応じて、シール用の戸先ゴムパッキン（図示省略）を嵌合等によって装着するとともに、錠前やコの字状の取っ手（図示省略）を、裏板を介して固定するようにしている。
また、下側の骨部材３は、床側に配設した振れ止め部材（図示省略）を案内できるように案内溝３１を下向きに開口するように配設するようにして、骨部材３が引戸の振れ止め部材の案内部材を兼用するようにしている。
そして、表面材１の内側には、折曲片２やこれら骨部材３の間で、ハニカム状のペーパーコアの芯材４を充填し、引戸全体の面強度を確保するようにしている。
【００１６】
なお、本実施例では、上側の辺と戸尻Ｔ２側の辺とに、表面材１を内側に折り曲げた折曲片２を形成しているが、折曲片２は、戸先Ｔ１側を除いた隣接する少なくとも２辺に形成することができる。
例えば、下側の辺と戸尻Ｔ２側の辺に折曲片２を形成するようにしたり、図３に示す変形実施例のように、戸先Ｔ１側を除く３辺に折曲片２を形成することができる。
【００１７】
かくして、本実施例の引戸は、薄板状の２枚の表面材１を所定間隔を隔てて重合するようにした引戸において、骨部材３を配設するようにした戸先Ｔ１側を除く各表面材１の少なくとも隣接する２辺に、表面材１を内側に折り曲げた折曲片２を形成し、この折曲片２を重ねて固定することにより表面材１の間隔を規定するようにしたことから、この折曲片２を補強部として、表面材１の少なくとも２辺で骨部材３を省略することができ、これにより、引戸を軽量化するとともに、材料コストを低減することができる。
また、従来は、引戸を組み立てる際に２枚の表面材１と骨部材３の位置合わせが困難であったが、本発明の引戸では、隣接する２辺に折曲片２を形成し、これを重ねることにより、表面材１の位置合わせを容易に行うことができ、引戸の組立作業の効率化を図ることができる。
さらに、戸先Ｔ１側の辺には骨部材３を配設する構造としているため、骨部材３に錠前や取っ手等の引戸の付属部品を取り付けるようにすることができ、付属部品の取付を強固かつ簡易に行うことができる。
【００１８】
また、引戸の上側又は下側の辺に骨部材３を配設するようにすることにより、骨部材３に戸車等の引戸の付属部品を取り付けるようにすることができ、付属部品の取付を強固かつ簡易に行うことができ、また、骨部材３が引戸の振れ止め部材の案内部材を兼用するようにすることもできる。
【００１９】
また、各表面材１の隣接する３辺に折曲片２を形成することにより、引戸の軽量化と材料コストの低減をより促進するとともに、表面材１の位置合わせをさらに容易に行うことができる。
【００２０】
以上、本発明の引戸について、その実施例に基づいて説明したが、本発明は上記実施例に記載した構成に限定されるものではなく、その趣旨を逸脱しない範囲において適宜その構成を変更することができる。
【産業上の利用可能性】
【００２１】
本発明の引戸は、一部の骨部材を省略することにより引戸の軽量化と材料コストの低減を実現するとともに、表面材の位置合わせを容易にして組立作業の効率化を図るという特性を有していることから、特に、上吊り式の引戸の用途に広く好適に用いることができるほか、レール式の引戸の用途にも好適に用いることができる。
【図面の簡単な説明】
【００２２】
【図１】本発明の引戸の一実施例を示す分解斜視図である。
【図２】同部分拡大図である。
【図３】本発明の引戸の変形実施例を示す分解斜視図である。
【図４】従来の引戸を示す分解斜視図である。
【符号の説明】
【００２３】
１    表面材
２    折曲片
３    骨部材
３１  案内溝
４    芯材
Ｔ１  戸先
Ｔ２  戸尻
【図１】
2009299278.tif 000003
【図２】
2009299278.tif 000004
【図３】
2009299278.tif 000005
【図４】
2009299278.tif 000006